(57)【要約】【課題】データを複数の転送先に転送する場合において、ユーザーによる操作負担を軽減することを可能にする。【解決手段】画像形成装置１は、画像データの転送先の選択を促す表示を表示部２１に行わせる際に、記憶部４１に記憶されている転送先の名称の一覧を示すアドレス帳を表示部２１に表示させる表示制御部１２と、アドレス帳に示された複数の転送先が選択される場合において、タッチパネル２２が選択された一つの転送先に対して選択された一つの転送方法について、ユーザーから画像データの転送方法に関する予め定められた決定指示を受け付けると、一つの転送先以外の他の転送先に対する画像データの転送方法に当該一つの転送方法を用いて、上記複数の転送先に向けて、画像データをデータ転送部に転送させる制御部１１と、を備える。【選択図】図２
2019022069.tif 000002
【特許請求の範囲】
【請求項１】
ユーザーからデータの転送先が入力されるデータ転送装置であって、
表示部と、
前記表示部の表示画面に配置されるとともに、ユーザーからの操作指示を受け付けるタッチパネルと、
前記データの転送先の名称と、当該データの転送方法の種類毎の当該転送先のアドレスとを関連付けて予め記憶した記憶部と、
前記データの転送先に向けて、当該データを転送するデータ転送部と、
前記表示部の動作を制御するとともに、前記タッチパネルがユーザーから前記データの転送指示を受け付けると、当該データの転送先の選択と、当該転送先への前記データの転送方法の選択とを促す表示を前記表示部に行わせる表示制御部と、
前記タッチパネルがユーザーから前記データの転送先を選択する指示と、当該転送先への前記データの転送方法を選択する指示とを受け付けると、選択された前記転送先に向けて、選択された転送方法で当該データを前記データ転送部に転送させる制御部と、を備え、
前記表示制御部は、前記データの転送先の選択を促す表示を前記表示部に行わせる際に、前記記憶部に記憶されている前記転送先の名称の一覧を示すリストを前記表示部に表示させ、
前記制御部は、前記リストに示された複数の前記転送先が選択される場合において、前記タッチパネルが、選択された一つの転送先に対して選択された一つの転送方法について、ユーザーから前記データの転送方法に関する予め定められた決定指示を受け付けると、前記一つの転送先以外の他の転送先に対する前記データの転送方法に当該一つの転送方法を用いて、前記複数の転送先に向けて、前記データを前記データ転送部に転送させる、データ転送装置。
【請求項２】
前記記憶部は、前記データが書き込まれる記憶領域を備え、
前記データ転送部は、
前記記憶部に前記転送先のアドレスとして予め記憶されているメールアドレスが付与された外部の機器にメール通信を行うメール通信部と、
前記記憶部に前記転送先のアドレスとして予め記憶されているＩＰアドレスが付与された外部の機器にネットワーク通信を行う通信インターフェースと、
前記記憶部に前記転送先のアドレスとして予め記憶されているファクシミリ番号が付与された外部の機器にファクシミリ通信を行うファクシミリ通信部と、
前記記憶部に前記転送先のアドレスとして予め記憶されている位置情報が示す当該記憶部における前記記憶領域に対しデータ書き込みを行うデータ書き込み部と、を備え、
前記制御部は、
前記タッチパネルがユーザーから前記データの転送先を選択する指示と、前記データの転送方法として前記メール通信を選択する指示とを受け付けると、前記記憶部から、選択された前記転送先のメールアドレスを取得し、取得した前記メールアドレスが付与された外部の機器に向けて、前記データを添付したメールを前記メール通信部に転送させ、
前記タッチパネルがユーザーから前記データの転送先を選択する指示と、前記データの転送方法として前記ネットワーク通信を選択する指示とを受け付けると、前記記憶部から、選択された前記転送先のＩＰアドレスを取得し、取得した前記ＩＰアドレスが付与された外部の機器に向けて、前記データを前記通信インターフェースに転送させ、
前記タッチパネルがユーザーから前記データの転送先を選択する指示と、前記データの転送方法として前記ファクシミリ通信を選択する指示とを受け付けると、前記記憶部から、選択された前記転送先のファクシミリ番号を取得し、取得した前記ファクシミリ番号が付与された外部の機器に向けて、前記データを前記ファクシミリ通信部に転送させ、
前記タッチパネルがユーザーから前記データの転送先を選択する指示と、前記データの転送方法として前記データ書き込みを選択する指示とを受け付けると、前記記憶部から、選択された前記転送先の位置情報を取得し、取得した前記位置情報が示す前記記憶領域に対し、前記データを前記データ書き込み部に書き込ませる、請求項１に記載のデータ転送装置。
【請求項３】
前記表示制御部は、前記転送先への前記データの転送方法の選択を促す表示を前記表示部に行わせる際に、当該データの転送方法の種類に対応したアイコンを前記表示部に表示させ、
前記タッチパネルは、ユーザーが前記アイコンを押下したことを検出した場合には、当該ユーザーから押下された前記アイコンに対応するデータの転送方法を選択する指示を受け付けたとし、かつ、ユーザーが前記アイコンを予め定められた時間以上継続して押下したことを検出した場合には、前記アイコンに対応するデータの転送方法について、前記決定指示を受け付けたとする請求項１又は請求項２に記載のデータ転送装置。
【請求項４】
前記表示制御部は、前記タッチパネルが一つの前記データの転送方法について、前記決定指示を受け付けると、前記データの転送方法が当該一つのデータの転送方法に固定されていることを示す予め定められたロックアイコンを前記表示部に表示させる請求項３に記載のデータ転送装置。
【請求項５】
前記表示制御部は、前記ロックアイコンを前記表示部に表示させた場合に、当該ロックアイコンの固定対象である前記一つのデータの転送方法の種類に対応するアイコンだけを前記表示部に表示させる請求項４に記載のデータ転送装置。
【請求項６】
前記表示制御部は、前記タッチパネルが一つの前記データの転送方法について、前記決定指示を受け付けると、前記リストにおいて、当該一つのデータの転送方法に対応したアドレスが前記記憶部に記憶されている転送先だけを表示させる請求項１乃至請求項５のいずれかに記載のデータ転送装置。
【請求項７】
請求項１乃至請求項６のいずれかに記載のデータ転送装置と、
記録媒体に画像を形成する画像形成部と、を備えた画像形成装置。
【請求項８】
請求項１乃至請求項６のいずれかに記載のデータ転送装置と、
原稿を読み取る原稿読取部と、を備え、
前記データ転送部は、前記原稿読取部での読み取り動作で得られた前記原稿の画像データを転送する画像読取装置。
【発明の詳細な説明】
【技術分野】
【０００１】
本発明は、ユーザーに対して操作画面等を表示すると共に操作指示を受け付けて、指示された転送先にデータを転送するデータ転送装置、及び当該データ転送装置を備えた画像形成装置、並びに当該データ転送装置を備えた画像読取装置に関する。
【背景技術】
【０００２】
画像形成装置が備えるデータ転送装置は、一般的にタッチパネル機能を備えており、装置の動作状況、ユーザーからの操作指示を受け付けるためのソフトボタン、各種メッセージ等を表示する。
【０００３】
また、データ転送装置には、例えば、画像形成装置が備える原稿読取部での読み取り動作で得られた原稿の画像データを、ユーザーから指示された転送先に転送するものが提案されている。例えば、下記特許文献１には、上記画像データの送信先（転送先）の送信先名（転送先の名称）やアドレス等を示す送信先データを、複数の件数分示したリストを表示部に表示させるとともに、送信先データに対するユーザーの操作指示に応じて、表示部に表示させる上記リストの枚数を変更することにより、ユーザーが簡易、直感的に所望の送信先を指定できるようにし、データ転送装置を使いやすくする技術が提案されている。
【先行技術文献】
【特許文献】
【０００４】
【特許文献１】特開２０１５−２８８０５号公報
【発明の概要】
【発明が解決しようとする課題】
【０００５】
ところで、一般的な画像形成装置では、メール通信機能、ネットワーク通信機能、及びファクシミリ通信機能が設けられており、これらのいずれかの通信機能を用いて、外部の機器に画像データを転送したり、当該画像形成装置が備えるＨＤＤ等の記憶部に設定された記憶領域に対して、画像データを書き込むことにより、当該画像データを当該記憶領域に転送したりすることができる。
【０００６】
ところが、上記特許文献１に示される技術では、例えば、複数の各転送先に画像データを転送する場合に、ユーザーは転送先毎に転送方法の指定をデータ転送装置に対して行う必要があった。このため、この従来技術では、ユーザーの操作負担を軽減することは難しかった。
【０００７】
本発明は、上記の事情に鑑みなされたものであり、データを複数の転送先に転送する場合において、ユーザーによる操作負担を軽減することを可能にすることを目的とする。
【課題を解決するための手段】
【０００８】
本発明の一局面に係るデータ転送装置は、ユーザーからデータの転送先が入力されるデータ転送装置であって、表示部と、前記表示部の表示画面に配置されるとともに、ユーザーからの操作指示を受け付けるタッチパネルと、前記データの転送先の名称と、当該データの転送方法の種類毎の当該転送先のアドレスとを関連付けて予め記憶した記憶部と、前記データの転送先に向けて、当該データを転送するデータ転送部と、前記表示部の動作を制御するとともに、前記タッチパネルがユーザーから前記データの転送指示を受け付けると、当該データの転送先の選択と、当該転送先への前記データの転送方法の選択とを促す表示を前記表示部に行わせる表示制御部と、前記タッチパネルがユーザーから前記データの転送先を選択する指示と、当該転送先への前記データの転送方法を選択する指示とを受け付けると、選択された前記転送先に向けて、選択された転送方法で当該データを前記データ転送部に転送させる制御部と、を備え、前記表示制御部は、前記データの転送先の選択を促す表示を前記表示部に行わせる際に、前記記憶部に記憶されている前記転送先の名称の一覧を示すリストを前記表示部に表示させ、前記制御部は、前記リストに示された複数の前記転送先が選択される場合において、前記タッチパネルが、選択された一つの転送先に対して選択された一つの転送方法について、ユーザーから前記データの転送方法に関する予め定められた決定指示を受け付けると、前記一つの転送先以外の他の転送先に対する前記データの転送方法に当該一つの転送方法を用いて、前記複数の転送先に向けて、前記データを前記データ転送部に転送させるものである。
【０００９】
また、本発明の他の一局面に係る画像形成装置は、上記データ転送装置と、記録媒体に画像を形成する画像形成部と、を備えるものである。
【００１０】
また、本発明の他の一局面に係る画像読取装置は、上記データ転送装置と、原稿を読み取る原稿読取部と、を備え、前記データ転送部は、前記原稿読取部での読み取り動作で得られた前記原稿の画像データを転送するものである。
【発明の効果】
【００１１】
本発明によれば、データを複数の転送先に転送する場合において、ユーザーによる操作負担を軽減することを可能にすることができる。
【図面の簡単な説明】
【００１２】
【図１】本発明の一実施形態に係る画像形成装置について示した概略図である。
【図２】本発明の一実施形態に係る画像形成装置の要部構成を示す機能ブロック図である。
【図３】画像形成装置での処理の流れを示すフローチャートである。
【図４】表示部に表示される表示画面の一例を示した図である。
【図５】表示部に表示される表示画面の一例を示した図である。
【図６】表示部に表示される表示画面の一例を示した図である。
【図７】表示部に表示される表示画面の一例を示した図である。
【図８】表示部に表示される表示画面の一例を示した図である。
【発明を実施するための形態】
【００１３】
以下、本発明の一実施形態に係るデータ転送装置、及びこれを備えた画像形成装置、並びにこれを備えた画像読取装置について図面を参照して説明する。図１は、本発明の一実施形態に係る画像形成装置について示した概略図である。
【００１４】
本実施形態に係る画像形成装置１は、現像剤としてトナーを用いた電子写真方式の画像形成装置や、インクを用いたインクジェットプリンター等で構成され、本体正面には一体的に構成された表示部２１及びタッチパネル２２を備えている。また、画像形成装置１は、例えば、コピー機能、プリンター機能、スキャナー機能、及びファクシミリ機能のような複数の機能を兼ね備えた複合機である。
【００１５】
表示部２１は、ＬＣＤ（Liquid Crystal Display）等で構成された表示画面であり、後述の表示制御部の制御のもと、操作方法や各種メッセージ、操作ボタン（ソフトボタン）等を表示する。
【００１６】
タッチパネル２２は、表示部２１の表示画面に配置されて当該表示部２１と一体的に構成されている。また、タッチパネル２２は、ユーザーからの操作指示を受け付ける。例えば、タッチパネル２２は、抵抗膜方式等のタッチパネルであり、ユーザーが押下した位置（座標）を検出して、後述する制御ユニット１０へ出力する。制御ユニット１０は、タッチパネル２２から出力された位置情報に基づいて押下位置を特定し、処理を実行する。
【００１７】
また、表示部２１及びタッチパネル２２の近傍には、スタートボタン２３、電源ボタン、ストップ／クリアボタン、及び数値入力ボタン（テンキー）などのハードボタンで構成された操作ボタンが設けられている。これらの操作ボタンは、ユーザーによって押下されることにより、ユーザーからの指示を受け付ける。例えば、スタートボタン２３は、コピーやスキャン（読取）等の各種処理動作について、ユーザーによる動作開始の押下入力を受け付ける。
【００１８】
図２は、本発明の一実施形態に係る画像形成装置の要部構成を示す機能ブロック図である。画像形成装置１は、制御ユニット１０、上記表示部２１、上記タッチパネル２２、原稿読取部３１、画像形成部３２、記憶部４１、通信インターフェース５１、及びファクシミリ通信部５２を備えて構成されている。
【００１９】
画像形成装置１が原稿読取動作を行う場合、図略の原稿給送部により給送されてくる原稿の画像等を原稿読取部３１が光学的に読み取り、この読取動作によって当該原稿の画像データを生成する。
【００２０】
画像形成装置１が画像形成動作（すなわち、印刷動作）を行う場合は、上記原稿読取動作により生成された画像データ等に基づいて、制御ユニット１０の後述の制御部が、図略の給紙カセット等から給紙される記録媒体としての記録紙に対する印刷処理を画像形成部３２に実行させて、当該記録紙上に画像を形成する。
【００２１】
原稿読取部３１は、制御ユニット１０による制御の下、光照射部及びＣＣＤセンサー等を有する読取機構を備える（図示せず）。原稿読取部３１は、光照射部により原稿を照射し、その反射光をＣＣＤセンサーで受光することにより、原稿から画像を読み取り、画像データを生成する。
【００２２】
画像形成部３２は、原稿読取部３１で読み取られた画像データ等の画像形成を行う。具体的には、画像形成部３２が例えばカラー印刷を行う場合、画像形成部３２のマゼンタ用の画像形成ユニット、シアン用の画像形成ユニット、イエロー用の画像形成ユニット、及びブラック用の画像形成ユニットは、それぞれに、上記印刷用データを構成するそれぞれの色成分からなる画像に基づいて、帯電、露光、及び現像の工程により感光体ドラム上にトナー像を形成し、当該トナー像を一次転写ローラーにより中間転写ベルト上に転写させる（図示せず）。
【００２３】
上記の中間転写ベルト上に転写される上記各色のトナー画像は、転写タイミングを調整して中間転写ベルト上で重ね合わされ、カラーのトナー像となる。２次転写ローラーは、中間転写ベルトの表面に形成された当該カラーのトナー像を、中間転写ベルトを挟んで駆動ローラーとのニップ部において、上記の給紙カセット等から搬送路を搬送されてきた記録紙に転写させる（図示せず）。この後、定着部が、記録紙上のトナー像を、熱圧着により記録紙に定着させる（図示せず）。定着処理の完了したカラー画像形成済みの記録紙は、図略の排出トレイに排出される。
【００２４】
記憶部４１は、ＨＤＤ（Hard Disk Drive）やＳＳＤ（Solid State Drive）等の大容量の記憶装置である。また、記憶部４１は、データとしての上記画像データの転送先の名称と、当該画像データの転送方法の種類毎の当該転送先のアドレスとを関連付けて予め記憶する。また、記憶部４１は、画像データが書き込まれる記憶領域４１Ｄを備えている。
【００２５】
通信インターフェース５１は、ＬＡＮボード等の通信モジュールを有しており、上記制御部等の制御のもと、当該通信インターフェース５１に接続されたネットワークを通じて情報処理装置等との間で種々のデータ通信を行う。また、通信インターフェース５１は、上記画像データの転送先に向けて、当該画像データを転送するデータ転送部の一例であり、例えば、記憶部４１に上記転送先のアドレスとして予め記憶されているＩＰアドレスが付与された上記情報処理装置等の外部の機器に向けて、上記ネットワークを用いたネットワーク通信を行い、画像データを転送する。
【００２６】
ファクシミリ通信部５２は、ファクシミリ通信に必要な諸機能を実行し、公衆回線を通じてファクシミリ機等の外部の機器との間で画像データを送受信する。また、ファクシミリ通信部５２は、上記データ転送部の一例であり、例えば、記憶部４１に上記転送先のアドレスとして予め記憶されているファクシミリ番号が付与された上記ファクシミリ機等の外部の機器に向けて、ファクシミリ通信を行い、画像データを転送する。
【００２７】
制御ユニット１０は、制御部１１、表示制御部１２、メール通信部１３、及びデータ書き込み部１４を備えている。
【００２８】
制御ユニット１０は、プロセッサー、ＲＡＭ(Random Access Memory）、及びＲＯＭ（Read Only Memory）などから構成される。プロセッサーは、例えば、ＣＰＵ（Central Processing Unit）、ＭＰＵ、又はＡＳＩＣである。この制御ユニット１０は、上記記憶部４１等に記憶された動作プログラムが上記のプロセッサーで実行されることにより、制御部１１、表示制御部１２、メール通信部１３、及びデータ書き込み部１４として機能する。尚、制御部１１、表示制御部１２、メール通信部１３、及びデータ書き込み部１４は、上記動作プログラムに基づく動作によらず、それぞれハード回路により構成されてもよい。以下、特に触れない限り、各実施形態について同様である。
【００２９】
制御部１１は、画像形成装置１の全体的な動作を司るものであり、表示部２１、タッチパネル２２、原稿読取部３１、画像形成部３２、記憶部４１、通信インターフェース５１、及びファクシミリ通信部５２等と接続され、これら各部の駆動制御を行う。
【００３０】
表示制御部１２は、表示部２１による表示動作を制御する機能を有する。
【００３１】
メール通信部１３は、上記データ転送部の一例であり、例えば、記憶部４１に上記転送先のアドレスとして予め記憶されているメールアドレスが付与された情報処理装置等の外部の機器に向けて、メール通信を行い、画像データを転送する。
【００３２】
データ書き込み部１４は、上記データ転送部の一例であり、例えば、記憶部４１に上記転送先のアドレスとして予め記憶されている位置情報が示す当該記憶部４１における記憶領域４１Ｄに対しデータ書き込みを行い、画像データを転送する。
【００３３】
また、表示制御部１２は、タッチパネル２２がユーザーから画像データの転送指示を受け付けると、当該画像データの転送先の選択と、当該転送先への画像データの転送方法の選択とを促す表示を表示部２１に行わせる。
【００３４】
また、表示制御部１２は、画像データの転送先の選択を促す表示を表示部２１に行わせる際に、記憶部４１に記憶されている転送先の名称の一覧を示すリスト、例えばアドレス帳を当該表示部２１に表示させる。
【００３５】
また、制御部１１は、タッチパネル２２がユーザーから画像データの転送先を選択する指示と、当該転送先への画像データの転送方法を選択する指示とを受け付けると、選択された転送先に向けて、選択された転送方法で当該画像データを上記データ転送部に転送させる。
【００３６】
例えば、制御部１１は、タッチパネル２２がユーザーから画像データの転送先を選択する指示と、画像データの転送方法としてメール通信を選択する指示とを受け付けると、記憶部４１から、選択された転送先のメールアドレスを取得し、取得したメールアドレスが付与された外部の機器に向けて、当該画像データを添付したメールをメール通信部１３に転送させる。
【００３７】
また、制御部１１は、タッチパネル２２がユーザーから画像データの転送先を選択する指示と、画像データの転送方法としてネットワーク通信を選択する指示とを受け付けると、記憶部４１から、選択された転送先のＩＰアドレスを取得し、取得したＩＰアドレスが付与された外部の機器に向けて、当該画像データを通信インターフェース５１に転送させる。
【００３８】
また、制御部１１は、タッチパネル２２がユーザーから画像データの転送先を選択する指示と、画像データの転送方法としてファクシミリ通信を選択する指示とを受け付けると、記憶部４１から、選択された転送先のファクシミリ番号を取得し、取得したファクシミリ番号が付与された外部の機器に向けて、当該画像データをファクシミリ通信部５２に転送させる。
【００３９】
また、制御部１１は、タッチパネル２２がユーザーから画像データの転送先を選択する指示と、画像データの転送方法としてデータ書き込みを選択する指示とを受け付けると、記憶部４１から、選択された転送先の位置情報を取得し、取得した位置情報が付与された記憶領域４１Ｄに対し、当該画像データをデータ書き込み部１４に書き込ませる。
【００４０】
また、制御部１１は、上記アドレス帳（リスト）に示された複数の転送先が選択される場合において、タッチパネル２２が選択された一つの転送先に対して選択された一つの転送方法について、ユーザーから画像データの転送方法に関する予め定められた決定指示を受け付けると、当該タッチパネル２２が当該一つの転送先以外の他の転送先に対する画像データの転送方法の選択をユーザーから受け付けることなく、上記複数の転送先に向けて、当該一つの転送方法で画像データを上記いずれかのデータ転送部に転送させる。
【００４１】
また、表示制御部１２は、転送先への画像データの転送方法の選択を促す表示を表示部２１に行わせる際に、当該画像データの転送方法の種類に対応したアイコンを当該表示部２１に表示させる。例えば、表示制御部１２は、後掲の図６に示すように、上記メール通信に対応したアイコンＭ、ネットワーク通信に対応したアイコンＮ、ファクシミリ通信に対応したアイコンＦ、及びデータ書き込みに対応したアイコンＳを表示部２１に表示させる。
【００４２】
また、タッチパネル２２は、ユーザーが上記アイコンを押下したことを検出した場合には、当該ユーザーから押下されたアイコンに対応する画像データの転送方法を選択する指示を受け付けたとする。更に、タッチパネル２２は、ユーザーがアイコンを予め定められた時間（例えば、１０秒）以上継続して押下したことを検出した場合には、当該アイコンに対応する画像データの転送方法について、上記決定指示を受け付けたとする。
【００４３】
また、表示制御部１２は、タッチパネル２２が一つの画像データの転送方法について、上記決定指示を受け付けると、画像データの転送方法が当該一つの画像データの転送方法に固定されていることを示す予め定められたロックアイコンＬを表示部２１に表示させる（例えば、後掲の図７参照。）。
【００４４】
また、表示制御部１２は、上記ロックアイコンを表示部２１に表示させた場合に、当該ロックアイコンの固定対象である一つのデータの転送方法の種類に対応するアイコンだけを表示部２１に表示させる。
【００４５】
また、表示制御部１２は、タッチパネル２２が一つの画像データの転送方法について、上記決定指示を受け付けると、上記アドレス帳において、当該一つの画像データの転送方法に対応したアドレスが記憶部４１に記憶されている転送先だけを表示させる。
【００４６】
次に、図３を参照して、本実施形態の画像形成装置１の動作について具体的に説明する。図３は、画像形成装置での処理の流れを示すフローチャートである。尚、以下の説明では、画像形成装置１において、原稿読取部３１での読み取り動作で得られた原稿の画像データをユーザーによって選択された転送先に転送する場合での動作について主に説明する。
【００４７】
図３に示すように、制御部１１は、ユーザーにより、画像データの転送処理の実行を指示する要求をタッチパネル２２が受け付けたかどうかを判別する（Ｓ１）。例えば、制御部１１は、表示制御部１２が、図４に示すように、ユーザーに処理動作の指示を促す表示を表示部２１に行わせたときに、データ転送処理キー２２Ａがユーザーに指定されたかどうかを検出することにより、画像データの転送処理の実行を指示する要求が行われたかどうかを判別する。制御部１１は、データ転送処理キー２２Ａが指定されたことをタッチパネル２２が検出していなければ（Ｓ１でＮＯ）、Ｓ２には進まずに、画像形成装置１を待機状態とする。
【００４８】
一方、制御部１１は、ユーザーによりデータ転送処理キー２２Ａが指定され、タッチパネル２２により受け付けられたことを検出した場合（Ｓ１でＹＥＳ）、画像データの転送処理の実行が要求されたと判断する。そして、表示制御部１２は、例えば、図５に示すように、上記アドレス帳ＡＤを表示部５１に表示させる（Ｓ２）。アドレス帳ＡＤでは、図５の表示画面に示すように、記憶部４１に記憶されている転送先の一覧、例えば、「Ｋｙｏｃｅｅ」、「ＫＤＰＤ」、「ＫＤＡ」、及び「ファクシミリ機（自宅）」が示されている。
【００４９】
また、このアドレス帳ＡＤには、例えば、「Ｋｙｏｃｅｅ」を転送先としてユーザーが選択可能とするための選択欄２２Ｂ１が設けられている。同様に、アドレス帳ＡＤには、「ＫＤＰＤ」に対応する選択欄２２Ｂ２、「ＫＤＡ」に対応する選択欄２２Ｂ３、及び「ファクシミリ機（自宅）」に対応する選択欄２２Ｂ４が設けられている。そして、表示制御部１２は、後に詳述するように、例えば選択欄２２Ｂ１に対するユーザーによる押下操作をタッチパネル２２が受け付けると、記憶部４１に記憶されている「Ｋｙｏｃｅｅ」についての転送方法の種類毎のアドレスに基づいて、画像データを転送可能な転送方法を示すアイコンを表示部２１に表示させる。すなわち、表示制御部１２は、ユーザーに対して、アドレス帳ＡＤを提示することにより、画像データの転送先の選択と、当該転送先への画像データの転送方法の選択とを促す表示を表示部２１に行わせる。尚、アドレス帳ＡＤでは、図５の表示画面に示すように、転送対象の画像データの名称、例えば「文書１.ｐｄｆ」も示されるようになっている。
【００５０】
続いて、制御部１１は、ユーザーにより、画像データの転送先を選択する指示をタッチパネル２２が受け付けたかどうかを判別する（Ｓ３）。例えば、制御部１１は、図５に示した表示画面において、いずれか一つの選択欄２２Ｂ１〜２２Ｂ４が選択されたことをタッチパネル２２が検出していなければ（Ｓ３でＮＯ）、Ｓ４には進まずに、画像形成装置１を待機状態とする。
【００５１】
一方、制御部１１は、いずれか一つの選択欄２２Ｂ１〜２２Ｂ４が選択され、タッチパネル２２により受け付けられたことを検出した場合（Ｓ３でＹＥＳ）、ユーザーにより、画像データの転送先が選択されたと判断する。また、表示制御部１２は、記憶部４１を参照することにより、選択された転送先への画像データの転送方法を表示部２１に表示させる（Ｓ４）。例えば、表示制御部１２は、図６の表示画面にハッチングにて示すように、選択欄２２Ｂ１がユーザーにより指定されたことをタッチパネル２２が検出すると、当該選択欄２２Ｂ１で選択された転送先「Ｋｙｏｃｅｅ」についてのアドレス、例えば、メールアドレス、ＩＰアドレス、ファクシミリ番号、及び位置情報が記憶部４１に記憶されていることを判別する。そして、表示制御部１２は、図６の表示画面に示すように、メール通信に対応したアイコンＭ、ネットワーク通信に対応したアイコンＮ、ファクシミリ通信に対応したアイコンＦ、及びデータ書き込みに対応したアイコンＳを含んだ選択欄２２Ｄを表示部２１に表示させて、当該選択欄２２Ｄによってユーザーが画像データの転送方法を選択可能とする。
【００５２】
続いて、制御部１１は、ユーザーにより、画像データの転送方法を選択する指示をタッチパネル２２が受け付けたかどうかを判別する（Ｓ５）。例えば、制御部１１は、図６に示した表示画面において、選択欄２２Ｄに含まれたアイコンＭ、アイコンＮ、アイコンＦ、又はアイコンＳがユーザーにより押下されたことをタッチパネル２２が検出していなければ（Ｓ５でＮＯ）、Ｓ６には進まずに、画像形成装置１を待機状態とする。
【００５３】
一方、制御部１１は、アイコンＭ、アイコンＮ、アイコンＦ、又はアイコンＳがユーザーにより押下されたことをタッチパネル２２が検出した場合（Ｓ５でＹＥＳ）、当該ユーザーにより、画像データの転送方法が選択されたと判断する。更に、制御部１１は、ユーザーがアイコンＭ、アイコンＮ、アイコンＦ、又はアイコンＳを予め定められた時間以上継続して押下したことをタッチパネル２２が検出したかどうかを判別することにより、画像データの転送方法について、上記決定指示をタッチパネル２２が受け付けたかどうかを判別する（Ｓ６）。
【００５４】
そして、制御部１１は、ユーザーがアイコンＭ、アイコンＮ、アイコンＦ、又はアイコンＳを予め定められた時間以上継続して押下したことをタッチパネル２２が検出していなければ（Ｓ６でＮＯ）、ユーザーから決定指示が要求されなかったと判断する。続いて、制御部１１は、ユーザーにより、画像データの転送処理の実行の指示が要求されたかどうかを判別する（Ｓ７）。例えば、制御部１１は、図６の表示画面において、ユーザーによりスタートキー２２Ｃが指定されたことをタッチパネル２２が受け付けたかどうかを判別することにより、画像データの転送処理の実行の指示がユーザーに要求されたかどうかを判別する。
【００５５】
そして、制御部１１は、ユーザーによりスタートキー２２Ｃが指定されたことをタッチパネル２２が検出していなければ（Ｓ７でＮＯ）、処理は上記Ｓ３に戻って処理をやり直す。一方、制御部１１は、ユーザーによりスタートキー２２Ｃが指定され、タッチパネル２２により受け付けられたことを検出した場合（Ｓ７でＹＥＳ）、処理は後述のＳ１３に進む。
【００５６】
また、制御部１１は、ユーザーがアイコンＭ、アイコンＮ、アイコンＦ、又はアイコンＳを予め定められた時間以上継続して押下したことをタッチパネル２２が検出した場合（Ｓ６でＹＥＳ）、ユーザーから決定指示が要求されたと判断する。例えば、制御部１１は、ユーザーがアイコンＭを予め定められた時間以上継続して押下したことをタッチパネル２２が検出した場合、上記Ｓ３で指示された転送先「Ｋｙｏｃｅｅ」に対して、メール通信で画像データを転送することが指示されたと判断し、更には、当該画像データの転送方法が、今後ユーザーにより選択される転送先に対して、メール通信に固定することが決定されたと判断する。そして、表示制御部１２は、例えば、図７に示すように、選択欄２２Ｄの近傍に、画像データの転送方法が上記Ｓ６で決定指示されたメール通信に固定されていることを示す予め定められたロックアイコンＬを表示部２１に表示させる（Ｓ８）。また、表示制御部１２は、図７の表示画面に示すように、ロックアイコンＬを表示部２１に表示させると、当該ロックアイコンＬの固定対象であるメール通信に対応するアイコンＭだけを表示部２１での選択欄２２Ｄに表示させる。
【００５７】
続いて、表示制御部１２は、表示部２１に表示させるアドレス帳ＡＤの表示を更新させる（Ｓ９）。例えば、表示制御部１２は、記憶部４１を参照することにより、この記憶部４１に記憶されている転送先（つまり、アドレス帳ＡＤに示している転送先）のうち、上記Ｓ６で決定指示されたメール通信に対応したメールアドレスが当該記憶部４１に記憶されている転送先だけを表示する。つまり、表示制御部１２は、例えば、図７の表示画面に示すように、アドレス帳ＡＤにおいて、メールアドレスが記憶部４１に記憶されていない「ファクシミリ機（自宅）」の表示を指定欄２２Ｂ４から消去させて、更新後のアドレス帳ＡＤには、「ファクシミリ機（自宅）」の転送先を示させない。
【００５８】
続いて、制御部１１は、ユーザーにより、画像データの転送先の追加を選択する指示が行われたかどうかを判別する（Ｓ１０）。例えば、制御部１１は、選択欄２２Ｂ２又は選択欄２２Ｂ３がユーザーにより選択されたかどうかを判別することにより、画像データの転送先が追加されたかどうかを判別する。そして、制御部１１は、例えば、図８の表示画面にハッチングにて示すように、選択欄２２Ｂ２がユーザーにより指定されたことをタッチパネル２２が検出すると（Ｓ１０でＹＥＳ）、当該選択欄２２Ｂ２で選択された転送先「ＫＤＰＤ」が画像データの転送先として選択された判断する。そして、制御部１１は、この転送先「ＫＤＰＤ」への画像データの転送方法として、ユーザーから画像データの転送方法の選択をタッチパネル２２が受け付けることなく、上記Ｓ６で決定指示されたメール通信を用いると決定する（Ｓ１１）。そして、表示制御部１２は、アイコンＭとロックアイコンＬとを表示部２１に表示させて、処理は上記Ｓ１０に戻って処理をやり直す。
【００５９】
一方、制御部１１は、選択欄２２Ｂ２又は選択欄２２Ｂ３がユーザーにより指定されたことをタッチパネル２２が検出していなければ（Ｓ１０でＮＯ）、ユーザーによりスタートキー２２Ｃが指定されたことをタッチパネル２２が受け付けたかどうかを判別することにより、画像データの転送処理の実行の指示がユーザーに要求されたかどうかを判別する（Ｓ１２）。
【００６０】
そして、制御部１１は、ユーザーによりスタートキー２２Ｃが指定されたことをタッチパネル２２が検出していなければ（Ｓ１２でＮＯ）、Ｓ１３には進まずに、画像形成装置１を待機状態とする。
【００６１】
一方、制御部１１は、ユーザーによりスタートキー２２Ｃが指定され、タッチパネル２２により受け付けられたことを検出した場合（Ｓ１２でＹＥＳ）、上記Ｓ５で指示された転送先に対して、上記Ｓ５で指示された転送方法で画像データについての転送処理、又は上記Ｓ３及びＳ１０で指示された転送先に対して、上記Ｓ６で決定指示された転送方法で画像データについての転送処理の実行を行わせる（Ｓ１３）。すなわち、制御部１１は、アドレス帳ＡＤに示された複数の転送先が選択される場合において、タッチパネル２２が、選択された一つの転送先に対して選択された一つの転送方法について、ユーザーから画像データの転送方法に関する予め定められた決定指示を受け付けると、一つの転送先以外の他の転送先に対する画像データの転送方法に当該一つの転送方法を用いて、上記複数の転送先に向けて、画像データを上記データ転送部に転送させる。
【００６２】
以上のように、本実施形態では、記憶部４１は画像データの転送先の名称と、当該画像データの転送方法の種類毎の当該転送先のアドレスとを関連付けて予め記憶する。表示制御部１２は、画像データの転送先の選択を促す表示を表示部２１に行わせる際に、記憶部４１に記憶されている転送先の名称の一覧を示すアドレス帳ＡＤを表示部２１に表示させる。制御部１１は、アドレス帳ＡＤに示された複数の転送先が選択される場合において、タッチパネル２２が、選択された一つの転送先に対して選択された一つの転送方法について、ユーザーから画像データの転送方法に関する予め定められた決定指示を受け付けると、一つの転送先以外の他の転送先に対する画像データの転送方法に当該一つの転送方法を用いて、上記複数の転送先に向けて、画像データを上記データ転送部に転送させる。これにより、本実施形態では、上記従来例と異なり、画像データを複数の転送先に転送する場合において、ユーザーによる操作負担を軽減することを可能にすることができる。
【００６３】
また、本実施形態では、上記データ転送部は、メール通信部１３、通信インターフェース５１、ファクシミリ通信部５２、及びデータ書き込み部１４を備えている。このため、ユーザーは、例えば、転送先のアドレスとして、メールアドレス、ＩＰアドレス、ファクシミリ番号、及び記憶領域４１Ｄの位置情報が記憶部４１に記憶されている場合、画像データの転送方法として、メール通信、ネットワーク通信、ファクシミリ通信、又はデータ書き込みを選択することができ、ユーザーの利便性を向上させることができる。
【００６４】
また、本実施形態では、表示制御部１２は、転送先への画像データの転送方法の選択を促す表示を表示部２１に行わせる際に、当該画像データの転送方法の種類に対応したアイコンＭ、アイコンＮ、アイコンＦ、又はアイコンＳを表示部２１に表示させる。また、タッチパネル２２は、ユーザーがアイコンＭ、アイコンＮ、アイコンＦ、又はアイコンＳを押下したことを検出した場合には、当該ユーザーから押下されたアイコンＭ、アイコンＮ、アイコンＦ、又はアイコンＳに対応する画像データの転送方法を選択する指示を受け付けたとする。更には、タッチパネル２２は、ユーザーがアイコンＭ、アイコンＮ、アイコンＦ、又はアイコンＳを予め定められた時間以上継続して押下したことを検出した場合には、アイコンＭ、アイコンＮ、アイコンＦ、又はアイコンＳに対応する画像データの転送方法について、上記決定指示を受け付けたとする。このように、本実施形態では、画像データの転送方法の種類に対応して、異なるアイコンが表示部２１に表示されるので、ユーザーは、画像データの転送方法を容易に決めて指示することができる。
【００６５】
また、本実施形態では、表示制御部１２は、タッチパネル２２が一つの画像データの転送方法について、上記決定指示を受け付けると、画像データの転送方法が当該一つの画像データの転送方法に固定されていることを示すロックアイコンＬを表示部２１に表示させる。これにより、本実施形態では、ユーザーは、画像データの転送方法が固定されていることを容易に視認することができる。
【００６６】
また、本実施形態では、表示制御部１２は、ロックアイコンＬを表示部２１に表示させた場合に、当該ロックアイコンＬの固定対象である一つの画像データの転送方法の種類に対応するアイコンだけを表示部２１に表示させる。これにより、本実施形態では、ユーザーは、固定されている画像データの転送方法の種類について容易に視認することができる。
【００６７】
また、本実施形態では、表示制御部１２は、タッチパネル２２が一つの画像データの転送方法について、上記決定指示を受け付けると、アドレス帳ＡＤにおいて、当該一つの画像データの転送方法に対応したアドレスが記憶部４１に記憶されている転送先だけを表示させる。これにより、本実施形態では、ユーザーは転送先の選択指示を容易に、かつ、適正に行うことができる。
【００６８】
なお、上記実施形態において、図１乃至図８を用いて上記実施形態により示した構成及び処理は、本発明の一実施形態に過ぎず、本発明を当該構成及び処理に限定する趣旨ではない。
【符号の説明】
【００６９】
１          画像形成装置
１１        制御部
１２        表示制御部
１３        メール通信部
１４        データ書き込み部
２１        表示部
２２        タッチパネル
３１        原稿読取部
３２        画像形成部
４１        記憶部
４１Ｄ      記憶領域
５１        通信インターフェース
５２        ファクシミリ通信部
【図１】
2019022069.tif 000003
【図２】
2019022069.tif 000004
【図３】
2019022069.tif 000005
【図４】
2019022069.tif 000006
【図５】
2019022069.tif 000007
【図６】
2019022069.tif 000008
【図７】
2019022069.tif 000009
【図８】
2019022069.tif 000010